(57)【特許請求の範囲】
【請求項１】
内側に向かって屈曲した前板と、２枚の抽斗側板と、１枚の背壁と、１枚の抽斗底板とを有する隅戸棚用抽斗であって、
前板（４）は、抽斗（１）が隅戸棚から引き出される際に抽斗開プロセス開始時と抽斗閉プロセス終了時とに抽斗側板（２）に対して相対運動する少なくとも２枚の要素板（７’，７’’）を有することを特徴とする抽斗。
【請求項２】
請求項１において、
要素板（７’，７’’）は抽斗（１）の開に際して相互相対運動することを特徴とする抽斗。
【請求項３】
請求項１または２において、
要素板（７’，７’’）の側方前端（１４）は、抽斗（１）の開に際して、該前端の一方が抽斗（１）の引き出し方向（Ｏ）に対して横方向に、抽斗中央に向かって運動することを特徴とする抽斗。
【請求項４】
請求項１において、
要素板（７’，７’’）は、抽斗（１）が隅戸棚から引き出される前に、抽斗側板（２）に対して相対運動することを特徴とする抽斗。
【請求項５】
請求項１から４までのいずれか１項において、
要素板（７’，７’’）が抽斗側板（２）に対して相対運動させられる間、抽斗（１）を家具本体内に留置するロック装置が設けられていることを特徴とする抽斗。
【請求項６】
請求項１から５までのいずれか１項において、
要素板（７’，７’’）の少なくとも一方は、運動させられた要素板（７’，７’’）を当初位置に押し戻す蓄力手段の作用を受けることを特徴とする抽斗。
【請求項７】
請求項６において、
蓄力手段はばねによって形成されることを特徴とする抽斗。
【請求項８】
請求項１から７までのいずれか１項において、
２枚の要素板（７’，７’’）は回旋し得るようにして抽斗（１）に支持されていることを特徴とする抽斗。
【請求項９】
請求項１から７までのいずれか１項において、
一方の要素板（７’’）は回旋し得るようにして抽斗に支持され、他方の要素板（７’）はその組付け面内を直線移動し得ることを特徴とする抽斗。
【請求項１０】
請求項１から７までのいずれか１項において、
一方の要素板（７’’）はその組付け面に対して垂直方向に抽斗（１）に対して相対変位し得るようにして支持され、他方の要素板（７’）はその組付け面内を直線移動し得ることを特徴とする抽斗。
【請求項１１】
請求項１から１０までのいずれか１項において、
要素板（７’，７’’）はケーブル牽引機構（９）を介して互いに運動連結されていることを特徴とする抽斗。
【請求項１２】
請求項１から１０までのいずれか１項において、
要素板（７’，７’’）は歯車またはセクタ歯車（１５）を介して互いに運動連結されていることを特徴とする抽斗。
【請求項１３】
請求項１１において、
要素板の一方（７’’）は、ケーブル牽引機構（９）のケーブルが固定された、抽斗内側に向かって突き出した少なくとも１本のピン（１０）または類似の手段を備えていることを特徴とする抽斗。
【請求項１４】
請求項１から８までのいずれか１項において、
要素板（７’，７’’）は、抽斗（１）の奥行き方向にスライドし得る少なくとも１本の共通のスライダ（２０）に連結されていることを特徴とする抽斗。
【請求項１５】
請求項１４において、
スライダ（２０）は、シリンダ（１７）内をピストンが直線往復運動し得るピストンロッドとして形成されていることを特徴とする抽斗。
【請求項１６】
請求項１から７までのいずれか１項において、
一方の要素板（７’’）は少なくとも２本のスライダ（２０）を介して平行に案内されて、その組付け面に対して垂直方向に抽斗（１）に対して相対変位し得ることを特徴とする抽斗。
【請求項１７】
請求項１から１６までのいずれか１項において、
要素板（７’，７’’）は、抽斗（１）の運動中、抽斗側板（２）に対するそれらの位置が保持されていることを特徴とする抽斗。
【請求項１８】
請求項１から１７までのいずれか１項において、
前板（４）を形成する要素板（７’，７’’）の背後に仕切り壁（３０）が設けられていることを特徴とする抽斗。
【請求項１９】
請求項１から１８までのいずれか１項において、
２枚の要素板（７）の間の屈曲部に中央支柱（２５）が配置されていることを特徴とする抽斗。
【請求項２０】
内側に向かって屈曲した前板の要素板を抽斗に取り付けるための隅フロント金具であって、
内側に向かって屈曲したフレーム（２３）は該フレーム（２３）を抽斗（１）に取り付けるための保持装置（１９）を備えていると共に、フレーム（２３）はフレーム（２３）に対して相対運動し得る、前板（４）の要素板（７）用の２枚の保持部材（２４）を支持しており、要素板（７）は該保持部材により、抽斗（１）の閉状態に対応する第一の位置と、家具本体からの抽斗（１）の引き出しを可能とする第二の位置との間を運動し得ることを特徴とする隅フロント金具。
【請求項２１】
請求項２０において、
保持部材（２４）は回旋し得るようにしてフレーム（２３）に支持されていることを特徴とする隅フロント金具。
【請求項２２】
請求項２１において、
保持部材（２４）は垂直軸によってフレーム（２３）に支持されていることを特徴とする隅フロント金具。
【請求項２３】
請求項２０から２２までのいずれか１項において、
保持部材（２４）に結合される要素板（７）は取付け部品（２２）を有していることを特徴とする隅フロント金具。
【請求項２４】
請求項２０から２３までのいずれか１項において、
フレーム（２３）には、ロック位置において、要素板（７）が第一の位置に戻り変位するのを阻止する少なくとも１本のロックレバー（２６）が支持されていることを特徴とする隅フロント金具。
【請求項２５】
請求項２４において、
ロックレバー（２６）の運動を案内する定置支持された案内レール（２７）が設けられていることを特徴とする隅フロント金具。
【請求項２６】
請求項２４または２５において、
ロックレバー（２６）は回旋式レバーとして形成されていることを特徴とする隅フロント金具。
【請求項２７】
請求項２６において、
ロックレバー（２６）は双アーム式レバーとして形成されていることを特徴とする隅フロント金具。
【請求項２８】
請求項２０から２７までの少なくともいずれか１項において、
隅フロント金具（２１）の少なくとも片側、好ましくは両側に側方案内ローラ（３０）が配置されていることを特徴とする隅フロント金具。
【請求項２９】
請求項２８において、
側方案内ローラ（１個または複数）（３０）は調節し得るようにして隅フロント金具（２１）に支持されていることを特徴とする隅フロント金具。
【請求項３０】
請求項２０から２９までのいずれか１項において、
要素板（７）は側方変位および／または高さ変位し得るようにして保持部材（２４）に取付けられていることを特徴とする隅フロント金具。
【請求項３１】
請求項２０から３０までのいずれか１項において、
保持部材（２４）の回旋範囲を制限するストッパ（４２，４３）が設けられていることを特徴とする隅フロント金具。
【請求項３２】
請求項２０から３１までのいずれか１項において、
双方の保持部材（２４）の間に少なくとも１本の引っ張りばね（３９）が作用することを特徴とする隅フロント金具。
【請求項３３】
請求項３２において、
引っ張りばね（３９）は一方の保持部材（２４）に定置連結点で掛止され、第二の保持部材（２４）に変位式連結点で掛止されていることを特徴とする隅フロント金具。
【請求項３４】
請求項３３において、
第二の保持部材（２４）は繋ぎ板（７１）を備え、該繋ぎ板に保持部材（２４）の長手方向に対して斜めに向いたみぞ穴（７７）が設けられ、該みぞ穴を１本のピン（４５）が貫通し、該ピンが少なくとも１本の引っ張りばね（３９）の変位式連結点を形成することを特徴とする隅フロント金具。
【請求項３５】
請求項１〜３４のいずれかに記載の、内側に向かって屈曲した前板の要素板を抽斗に取り付けるための隅フロント金具であって、
それぞれ１本の軸を中心に回旋し得る２枚の要素板用保持部材（４７）と、家具本体に固定可能な、抽斗（１）の開閉時にそれぞれ保持部材（４７）の一端を案内する２面の案内面（５３）を有する制御部品（５２）とからなることを特徴とする隅フロント金具。
【請求項３６】
請求項３５において、
保持部材（４７）の制御部品（５２）側の端部には、制御部品（５２）の案内面（５３）を転動するローラ（５０）が取り付けられていることを特徴とする隅フロント金具。
【請求項３７】
請求項３５または３６において、
案内面（５３）はそれぞれ１面の前方湾曲面と、ローラ（５０）が係合する後方の係合窪み（５６）とを形成していることを特徴とする隅フロント金具。
【請求項３８】
請求項３５から３７までのいずれか１項において、
双方の保持部材（４７）の間に、案内面（５３）にローラ（５０）を押し付ける少なくとも１本の引っ張りばね（４９）が作用することを特徴とする隅フロント金具。
【請求項３９】
請求項２０から３８までの少なくともいずれか１項において、
要素板（７）は、要素板（７）に固定された組付け板（６１）と保持部材（４７）に支持された保持アーム（６２）とアダプタと少なくとも１個の保持アーム（６２）用調節装置とで構成される保持装置（６０）によって保持部材（４７）に取り付けられ、その際、保持アーム（６２）は、アダプタが第一の支持箇所で組付け板（６１）に相補係合掛止されると共に第二の支持箇所でばね作用による相補噛合結合によって組付け板（６１）に保持されることにより、保持アーム（６２）の長手方向における２箇所の異なった支持箇所でアダプタを介して間接的に組付け板（６１）に保持されていることを特徴とする隅フロント金具。
【請求項４０】
請求項３９において、
アダプタはその第一の支持箇所に、アダプタの保持用突起として機能する通しピンを備え、組付け板（６１）はこの第一の支持箇所に、該ピンが係合するノッチを有し、こうして該ピンと該ノッチとは回旋支持部を形成して該回旋支持部を中心としてアダプタは保持アーム（６２）と共に回旋することができ、かつ、アダプタは第二の支持箇所に、軸を中心に回転し得る、フック状の突起を有したロッカアームを担持し、該フック状突起はロッカアーム（６５）がばね作用を受けることにより組付け板（６１）のノッチに噛合することを特徴とする隅フロント金具。
【請求項４１】
請求項３５から４０までの少なくともいずれか１項において、
保持部材（４７）は、要素板（７）の取付けピン（５８）が突き入る鍵穴（５９）を備えることを特徴とする隅フロント金具。
【請求項４２】
請求項２０から４１までのいずれか１項において、
保持部材（４７）の高さ調節用の調節装置が設けられていることを特徴とする隅フロント金具。
【請求項４３】
請求項３９から４２までのいずれか１項において、
保持アーム（６２）と組付け板（６１）との間に調節ねじ（６７）が配置され、該ねじによって要素板（７）を抽斗（１）の奥行き方向に調節し得ることを特徴とする隅フロント金具。
【請求項４４】
請求項３９から４３までのいずれか１項において、
保持アーム（６２）と組付け板（６１）との間に、要素板（７）の側方調節のためのたとえばスクリューディスク（６８）の形の調節装置が設けられていることを特徴とする隅フロント金具。
【請求項４５】
請求項３９から４４までのいずれか１項において、
保持アーム（６２）は前板（４）の高さ方向に変位可能であり、その際、要素板（７）はその面内で垂直軸（７４）に対して傾倒される（ 図６８，６９）ことを特徴とする隅フロント金具。
【発明の詳細な説明】
【技術分野】
【０００１】
本発明は、内側に向かって屈曲した前板と、２枚の抽斗側板と、１枚の背壁と、１枚の抽斗底板とを有する隅戸棚用抽斗に関する。
【０００２】
さらに本発明は、内側に向かって屈曲した前板のそれぞれの要素板を抽斗に固定するための隅フロント金具に関する。
【背景技術】
【０００３】
隅を占める食器戸棚において、この隅に円形部を設けるのが一般に通例である。ただし、こうした円形部の空間利用はそれほど満足すべきものではないことから、隅戸棚に抽斗も備えられるようになった。この種のコーナ抽斗に生ずる一つの問題は、隣接する他の抽斗の前板がコーナ抽斗の前板にとって邪魔となり、これによってコーナ抽斗の引き出しが妨げられることである。この問題を解決する一つの方法は、コーナ抽斗と隣接する他の抽斗との間の間隔を十分大きく選択することである。だが、その結果、美感上から好ましくない大きな間隙が生ずることとなる。
【発明の開示】
【発明が解決しようとする課題】
【０００４】
本発明の目的は、その前板が隣接する他の抽斗の前板と密接するにもかかわらず、コーナ抽斗の引き出しが妨げられることのないコーナ抽斗を創作することである。
【課題を解決するための手段】
【０００５】
本発明の課題は、抽斗が隅戸棚から引き出される際に抽斗開プロセス開始時と抽斗閉プロセス終了時とに抽斗側板に対して相対運動する少なくとも２枚の要素板で前板を構成することによって解決される。
【０００６】
好ましくは、要素板は抽斗開に際して相互相対運動するように構成される。
【０００７】
抽斗開の前に要素板を抽斗に対して僅かに相対運動させることができるように、本発明の１実施例において、要素板が抽斗側板に対して相対運動させられる間、抽斗を家具本体内に留置するロック装置が設けられている。
【０００８】
好ましくはさらに、要素板は抽斗開に際して相互相対運動し、要素板の側方前端は、抽斗開に際して、該前端の一方が抽斗の引き出し方向に対して横方向に、抽斗中央に向かって運動するように構成される。
【０００９】
本発明の１実施例において、要素板の少なくとも一方は、運動させられた要素板を元の位置に押し戻す蓄力手段の作用を受ける。このようにして要素板は、抽斗閉の後、自動的に当初位置、つまりそれらの組付け状態に復帰させられる。
【００１０】
蓄力手段は好ましくはばねによって形成される。
【００１１】
本発明のさらに別の実施例において、２枚の要素板は回旋し得るようにして抽斗に支持されている。
【００１２】
本発明のさらに別の実施例において、一方の要素板は回旋し得るようにして抽斗に支持され、他方の要素板はその組付け面内を直線移動することができるように構成されている。
【００１３】
本発明のさらに別の実施例において、一方の要素板はその組付け面に対して垂直方向に抽斗に対して相対変位し得るようにして支持され、他方の要素板はその組付け面内を直線移動することができるように構成されている。
【００１４】
本発明による隅フロント金具は内側に向かって屈曲したフレームを有し、該フレームはフレームを抽斗に取り付けるための保持装置を備えていると共に、フレームに対して相対運動し得る、前板を形成する要素板用の２枚の保持部材を支持しており、要素板は該保持部材により、抽斗閉状態に対応する第一の位置と、家具本体からの抽斗の引き出しを可能とする第二の位置との間を運動し得ることを特徴としている。
【００１５】
本発明による隅フロント金具のさらに別の実施例において、隅フロント金具はそれぞれ１本の垂直軸を中心に回旋し得る２枚の要素板用保持部材と、家具本体に固定可能な、抽斗開閉時にそれぞれ保持部材の一端を案内する２面の案内面を有する制御部品とを含んでいる。
【発明を実施するための最良の形態】
【００１６】
以下、本発明のさまざまな実施例を添付図面の図を参照して説明する。
【００１７】
本発明による抽斗１は従来のように、抽斗側板２と抽斗底板３とを備えている。抽斗１の前板４は内側に向かって屈曲され、抽斗背壁５は外側に向かって屈曲している。したがって前板４は部屋の隅に適合していると同時に、抽斗背壁５が屈曲していることにより空間利用の改善が達成される。
【００１８】
それぞれ抽斗側板２の上方に張り渡されたレール６が設けられていてよい。
【００１９】
前板４は互いに直角をなす２枚の要素板７によって形成され、抽斗背壁５も同じく互いに直角をなす２枚の要素板８によって形成される。要素板７’，７’’の背後には仕切り壁３０が配置されている。
【００２０】
図１は食器戸棚４に備えられた本発明による抽斗の配置を示している。本発明による抽斗１の両側には、抽斗１の要素板７’，７’’が隣接する前板４１を有する従来の抽斗４０が配置されている。抽斗１が閉状態にあれば、要素板７’，７’’は図１に示した閉位置にある。
【００２１】
抽斗１を開ける際に前板４の要素板７’，７’’が隣接する抽斗４０の前板４１に当たらないようにするため、これらの要素板は抽斗側板２に対して相対運動し得ると共に相互相対運動し得るようにして抽斗１に支持されている。開プロセスに際して、先ず最初に、要素板７’，７’’はそれらの側方前端１４が隣接する前板４１の脇を通過し得るように変位運動させられる。これは要素板７’，７’’の開位置と称される。抽斗１が引き出される間、要素板７’，７’’はこの開位置に留まっている。抽斗１が再び家具本体内に完全に押し込まれて初めて、要素板７’，７’’は再び互いに離間運動変位して閉位置に達し、同所で隣接する前板４１との間に狭い隙間を形成する。
【００２２】
図４〜６に示した実施例において、要素板７は水平方向に直線移動し得るようにして抽斗１に配置されている。第二の要素板７’’は回旋し得るようにして抽斗１に支持されている。双方の要素板７’，７’’はケーブル牽引機構９の少なくとも１本のケーブルを経て互いに連結されている。要素板７’’はケーブル牽引機構９が取り付けられたピン１０を備えている。要素板７’’はさらに保定手段１１を有しており、該手段は抽斗が閉状態にあるときに、家具本体側壁に取り付けられた対応する保持部１２に係合する。
【００２３】
要素板７’，７’’の閉位置を示す図４から看取し得るように、要素板７’，７’’の側方前端１４は隣接する前板４１の側端に近接している。抽斗１を引き出す際に要素板７’，７’’が図４に示したポジションに留まっていれば、これらの要素板は隣接する抽斗４０の前板４１に当たることになろう。
【００２４】
これを回避するため、要素板７’，７’’は可動式に抽斗１に支持されている。
要素板７’’は軸１３を中心にして回旋することができる。図５に示したように、要素板７’’が軸１３を中心にして矢印Ａの方向に回旋させられると、要素板７’は図５の矢印Ｂの方向に直線移動させられる。こうして要素板７’，７’’はそれらの開位置に達することになる。これにより、要素板７’，７’’の側方前端１４は隣接する前板４１の脇を通過することができる。
【００２５】
この場合、要素板７’は、要素板７’を矢印Ｂの方向とは反対方向に運動させる好ましくは蓄力手段、好ましくはばねの作用を受ける。抽斗１が閉じられて、家具本体内に完全に押し込まれると、双方の要素板７’，７’’は、要素板７’が矢印Ｂの方向とは反対方向に直線移動させられると共に要素板７’’が矢印Ａの方向とは反対方向に回旋させられることにより、再び図４に示した組付け状態に復帰させられる。
【００２６】
図７〜９に示した実施例において、双方の要素板７’，７’’はアーム１６を備えており、該アームの自由端には互いに噛合するセクタ歯車１５が形成されている。双方の要素板７’，７’’は回旋し得るようにして抽斗１に支持されている。図７は要素板７’，７’’の閉位置を示し、図８，９は開位置を示している。
【００２７】
要素板７’，７’’の一方が図８の一方の矢印Ａの方向に回旋させられると、他方の要素板７’，７’’も対向方向に同じ大きさだけ回旋させられる。要素板７’，７’’はいわば折畳まれるようにして変位する。この場合にも要素板７’，７’’の側方前端１４は内側に向かって回旋されることから、要素板７’，７’’の側方前端１４が隣接する前板４１の側端に当たることなく、抽斗１を開けることができる。要素板７’，７’’はまたも、抽斗が閉じられた後にこれらの要素板を再び図７に示した組付け状態に復帰させる蓄力手段と連結されていてよい。ただし、要素板７’，７’’の一方を手動で組付け状態に押し戻すようにするのも十分可能であり、この場合、第二の要素板７’，７’’はセクタ歯車１５の作用によって同じく組付け状態に復帰させられる。
【００２８】
図１０〜１２に示した実施例において、要素板７’，７’’は１本の共通のスライダ２０に連結されている。スライダ２０はたとえばピストンロッドとして形成されており、スライダ２０のピストンはシリンダ１７内を直線往復運動することができる。
【００２９】
抽斗１の開運動の開始前に要素板７’，７’’の一方が矢印Ａが示す内側方向に向かって回旋させられると、スライダ２０は後方に向かって運動し、第二の要素板７’，７’’は第一の要素板７’，７’’に対向する方向の回旋運動を実施する。これによって、双方の要素板７’，７’’の側方前端１４は隣接する前板４１の脇を通過することができる。
【００３０】
図１３〜１５に示した実施例において、要素板７’’は２本のスライダ２０を経て直線移動し得るようにして抽斗１に支持されている。要素板７’’の移動方向は要素板７’’の組付け面に対して垂直をなしている。要素板７’はその組付け面内で要素板７’’に対して垂直方向に直線移動することができる。
【００３１】
双方の要素板７’，７’’はまたもケーブル牽引機構９の少なくとも１本のケーブルを経て互いに連結されている。要素板７’’はケーブル牽引機構９が取り付けられた少なくとも１本のピン１０を有している。また、ケーブルガイドを行う案内ローラ１８が設けられている。
【００３２】
要素板７’’が抽斗１から引き離されると、要素板７’も既述したように運動させられる。この場合にもまた、要素板７’，７’’の側方前端１４は隣接する前板４１によって妨げられることなく自由に通過し得る位置を占めることとなる。図１０，１３はまたも要素板７’，７’’の閉位置を示しており、図１２，１５は開位置を示している。
【００３３】
要素板７’はまたも、抽斗が閉じられると要素板７’と共に要素板７’’を再び組付け位置に復帰させる蓄力手段、たとえばばねに連結されている。
【００３４】
すべてのケースにおいて、抽斗１を開ける際に、要素板７’，７’’の側方前端１４はそれらの一方が抽斗の引き出し方向Ｏに対して横方向に、抽斗中央に向かって運動させられる。また、開プロセスにおいて、要素板７’，７’’が抽斗側板２に対して相対運動させられている間、抽斗１が家具本体内に僅かに押し込まれるようにすることも可能である。
【００３５】
抽斗背壁５は、互いに直角をなし、たとえば互いにねじ留めまたは接着接合された２枚の要素板８からなっている。ただし、要素板８を適切な金具で互いに結合することも可能である。
【００３６】
要素板８を抽斗側板２に固定するための保持部材３２が設けられている。保持部材３２はレール６を後方で固定するためにも使用される。
【００３７】
図１６〜１９は、たとえばキッチンの隅戸棚の取付けを示したものであり、図１６，１８では抽斗１は家具本体から引き出された状態で示されており、図１７，１９では家具本体内に完全に押し込まれた状態で示されている。
【００３８】
図２０は、前板４を取り付けるための本発明による隅フロント金具２１を備えた抽斗１の分解立体図を示したものである。隅フロント金具２１は従来のように保持部品１９により、抽斗側板２内に配置された前板ホルダに連結することが可能である。適切な前板ホルダはたとえば本願出願人の欧州特許第０  ６３６  ３２７号［ＥＰ  ０  ６３６  ３２７  Ｂ１］明細書に記載されている。
【００３９】
前板４の要素板７’，７’’には、要素板７’，７’’を隅フロント金具２１に取り付けるための取付け部品２２が組み付けられている。隅フロント金具２１は、保持装置１９によって抽斗１に直接取り付けることのできる、内側に向かって屈曲したフレーム２３と、フレーム２３に回旋式に支持されて要素板７’，７’’を直接に担持する保持部材２４とを有している。図２４〜２６に示した実施例において、要素板７’，７’’の間には中央支柱２５が設けられている。ただし、この中央支柱２５は省くことも可能である。その場合には、双方の要素板７’，７’’の間に可視の垂直な隙間が生ずる。
【００４０】
図２８は、抽斗１が家具本体から引き出される前の、前板４ないし要素板７’，７’’の変位を示している。図３１は隅フロント金具２１の前端を示しており、同図には前板ロック機構が示されている。前板ロック機構は、抽斗１が開けられているかぎり、前板４が変位した位置を保ちかつ抽斗１の押込みに際して隣接する前板４１に当たらないように保証する。これは定置案内レール２７と連係するロックレバー２６によって達成される。
【００４１】
図３２，３３は抽斗１が完全に押し込まれた状態における前板４ないし要素板７を示している。ロックレバー２６の突起２８は案内レール２７の縁２９に相補係合して支保されていることから、ロックピン２６は起き上がることはなく、したがって、抽斗１が開くのを防止する。もしもこの状態で抽斗１が開けられるとすれば、前板４は隣接する抽斗４０の前板４１に衝突することになろう。図３４，３５は抽斗１の開運動の開始を示している。先ず最初に、前板４を形成する要素板７’，７’’は矢印方向に折畳まれるように変位させられる。つまり、要素板７は保持部材２４と共に垂直軸を中心に回旋させられる。保持部材２４は隅フロント金具２１内で互いに同調するようにして連結されている。同時に、ばね作用を受けるロックレバー２６が解放される。該レバーは図３５の矢印方向に回転し、こうして抽斗１の留置ロックを解除する。ただし、抽斗１は、強力な引込み装置によってなお閉位置に保持されているため、まだ運動を開始していない。適切な引込み装置はたとえば本願出願人の欧州特許第０  ６３１  ７４５号［ＥＰ  ０  ６３１  ７４５  Ｂ１］明細書に記載されている。
【００４２】
自動引込み装置の力に勝る力で抽斗１が引っ張られると、抽斗１は前方に変位させられた要素板７’，７’’と共に、図３７，３６に示したように、家具本体から引き出される。
【００４３】
図３８は、抽斗１がすでに開けられて、前板４と４１とがもはや衝突し得ない状態を示したものである。この状態において制御レバー２６の戻り運動は、抽斗１がこの位置にあれば案内レール２７によってその運動が確実に阻止されるために、不可能である。したがって、前板４（  要素板７’，７’’）と前板４１との衝突は生じ得ない。
【００４４】
図３９，４０に示した実施例において、隅フロント金具２１には側方調整ローラ３０が設けられている。調整ローラ３０を設けることにより、開運動開始時の抽斗１の側方運動をできるだけ小さなものとすることができる。たとえば前板４，４１の間に極く僅かな隙間しか許容されない場合には、過度の側方運動は前板制御にもかかわらず前板４と前板４１との間の衝突を生ずることになろう。各々の調整ローラ３０の位置はねじ３１とみぞ穴３３とによって調節することが可能である。
【００４５】
調整ローラ３０は抽斗１のそれぞれの側に配置され、図示実施例において本体側の金具部品３４に沿って転動する。
【００４６】
図４１，４２は隅フロント金具２１をまたも分解して示した図である。要素板７’，７’’には取付け部品２２が予備組み付けされる。要素板７’，７’’は矢印方向から、詳細には、取り付け部品２２が対応する収容部品３５に被嵌されるようにして、隅フロント金具に被装される。収容部品３５は保持部材２４に固定されている。要素板７は締付けねじ３６によって保持部材２４と摩擦接触結合される。締付けねじ３６を弛めた後、要素板７を矢印Ｓの方向で側方調節することが可能である。
【００４７】
取付け部品２２と収容部品３５との間の結合は多体式であることから、要素板７’，７’’の独立した高さ調節も可能である。この調節は調節手段３７と３８によって行なわれる。
【００４８】
図４３〜４６は保持部材２４の回旋制限を示したものである。保持部材２４にはストッパ４２が設けられ、フレーム２３には、保持部材２４の回旋動程を制限する対抗ストッパ４３が設けられている。図４８〜５１には、保持部材２４を互いに連結するばね３９が表されている。ばね３９はピン４４，４５に掛止されている。ピン４４は保持部材２４に固定されている。ピン４５は、第二の保持部材２４の繋ぎ板７１に形成されたみぞ穴７２に支持されている。
【００４９】
要素板７’，７’’の一方が引っ張られると、第二の要素板７’，７’’も自動的に回旋され、これによって、抽斗１の両側における、隣接する抽斗４０の前板４１との衝突が防止される。
【００５０】
以下、図５１〜６２を参照して、実施例を説明する。
【００５１】
この場合にも、内側に向かって屈曲した前板４を有する抽斗１が設けられている。前板４は、本発明による隅フロント金具４６に支持された２枚の要素板７’，７’’によって形成されている。戸棚の隅に位置する抽斗１の両側には、前板４１を有する従来の抽斗４０が配置されている。要素板７’，７’’は、軸４８を中心に回旋し得るようにして抽斗１に支持された保持部材４７に保持されている。
【００５２】
これらの軸は抽斗１に直接に固定されているかまたは前述した実施例のフレーム２３を介して同様に固定されていてよい。
【００５３】
保持部材４７はそれらの端部領域でばね４９によって連結されている。
【００５４】
さらに各々の保持部材４７は端部領域にローラ５０を担持している。家具本体１の支材５１には制御部品５２が固定されており、該制御部品には２面の案内面５３が形成され、抽斗１の開閉時にローラ５０は同所を転動する。保持部材４７のローラ５０はばね４９によって案内面５３に押し付けられる。前板グリップ５４の一方が引っ張られると、ローラ５０は外側に向かって運動する。要素板７は後方で互いに離間し、前方で互いに接近し、その際、抽斗１は、ローラ５０が、図５４，５５に示したように、案内面５３の外縁５５に位置するまで、静止している。今や要素板７はもはや隣接する前板４１に当たることはない。抽斗１が開状態にある場合には、要素板７は隣接する抽斗４０の前板４１にもはや接触することがないことから再び後方で互いに接することができる。
【００５５】
抽斗１が閉じられる場合には、要素板７したがって前板４は前板４１と接触しないように逆の順序で制御される。つまり、制御ローラ５０は後方閉領域において案内面５３の弧状凹面に沿って後方に向かって転動し、縁５５を越えて、制御部品５２の窪み５６に係合する。
【００５６】
家具本体における制御部品５２の位置は支材５１の長手方向と、みぞ穴５７により支材５１の横方向とに位置決めすることができる。
【００５７】
保持部材４７への要素板７の取り付けは一方で、要素板７’，７’’に螺入されて保持部材４７のみぞ穴５９内に突き入るねじ５８と、他方で、保持装置６０とによって行われる。
【００５８】
保持装置６０は一方で、要素板７’，７’’に固定された組付け板６１と、他方で、保持部材４７に支持された保持アーム６２とから構成されている。保持アーム６２にはアダプタ６３が支持されている。
【００５９】
アダプタ６３は、一方で、保持部材４７への要素板７の組付け時に組付け板６１のノッチ６４に係合掛止されるピン６６と、他方で、ロッカアーム６５とを担持している。ロッカアーム６５はばねによる作用を受ける。
【００６０】
保持アーム６２はアダプタ６３によって、ピンがノッチ６４に係合するようにして組付け板６１に掛止される。続いて、要素板７はピン６６とノッチ６４とによって形成された支持部を中心に回旋されて、ロッカアーム６５が組付け板６１の突起６６の下に噛み合わされる。アダプタ６３は当該調節手段によって保持アーム６２に保持されていることから、要素板７の位置を保持部材４７に対して横方向と保持部材４７の長手方向において調節することが可能である。
【００６１】
調節手段は調節ねじ６７と、そのスクリュー突起６９がアダプタ６３の突起７０に作用するスクリューディスク６８とによって形成される。調節ねじ６７を回すことにより、保持アーム６２は図７０の双方向矢印Ａの方向に運動させられ、したがって、要素板７は抽斗１の奥行き方向に調節される（  図６６，６７、参照）。スクリューディスク６８を回すことにより、要素板７は双方向矢印Ｂの方向に運動させられ、したがって、側方に調節される（  図６３，６４，６５、参照）。
【００６２】
組付け板６１は部材６１’と６２’’とからなっている。双方の部材はねじ７３によって緊締されて一体化される。
【００６３】
ねじ７３が弛められると、部材６１’’を前板４の高さ方向において部材６１’に対して相対的に変位させることができる。これにより、図６８，６８に示した垂直軸７４に対する要素板７の傾倒が生ずる。この傾倒は要素板７の面内で行われる。
【００６４】
組付け板６１への保持アーム６２の固定方法は本願出願人の欧州特許第０  ８６８  ５８６号［ＥＰ  ０  ８６８  ５８６  Ｂ１］に記載されている。同明細書はヒンジアームとヒンジポットとを有するヒンジを記載している。ただ本実施例ではヒンジのヒンジアームとヒンジポットとが省かれている。
【００６５】
図６３〜６９は保持部材４７における要素板７’，７’’のさまざまな調節可能性を示したものである。
【図面の簡単な説明】
【００６６】
【図１】本発明による抽斗を備える食器戸棚の平面図である。
【図２】本発明による抽斗を備える隅戸棚の立体図である。
【図３】本発明による抽斗の立体図である。
【図４】抽斗閉状態における、本発明による抽斗の前板領域の平面図である。
【図５】要素板が運動させられて、組付け位置から変位した状態における、本発明による抽斗の前板領域を示す図である。
【図６】抽斗の引き出し中または押し込み中の、本発明による抽斗の前板領域の平面図である。
【図７】本発明のさらに別の実施例における、図４〜図６と同様な平面図である。
【図８】本発明のさらに別の実施例における、図４〜図６と同様な平面図である。
【図９】本発明のさらに別の実施例における、図４〜図６と同様な平面図である。
【図１０】本発明のさらに別の実施例における、図４〜図６と同様な図である。
【図１１】本発明のさらに別の実施例における、図４〜図６と同様な図である。
【図１２】本発明のさらに別の実施例における、図４〜図６と同様な図である。
【図１３】同じく、本発明のさらに別の実施例における、図４〜図６と同様な図である。
【図１４】同じく、本発明のさらに別の実施例における、図４〜図６と同様な図である。
【図１５】同じく、本発明のさらに別の実施例における、図４〜図６と同様な図である。
【図１６】コーナ抽斗が引き出された状態における隅戸棚の配置を示す図である。
【図１７】コーナ抽斗が家具本体内に押し込まれた状態における隅戸棚の配置を示す図である。
【図１８】家具本体から部分的に引き出された状態のコーナ抽斗の平面図である。
【図１９】家具本体内に完全に押し込まれた状態のコーナ抽斗の平面図である。
【図２０】コーナ抽斗の分解立体図である。
【図２１】コーナ抽斗の立体図である。
【図２２】抽斗底板と抽斗側板とを示す立体図である。
【図２３】隅フロント金具の組み付けられた抽斗底板と抽斗側板とを示す立体図である。
【図２４】隅フロント金具の組み付けられた抽斗底板と抽斗側板とを示す立体図である。
【図２５】隅フロント金具と前板の１要素板とが組み付けられた抽斗底板と抽斗側板とを示す立体図である。
【図２６】それぞれ、隅フロント金具と前板とが組み付けられた抽斗を示す立体図である。
【図２７】それぞれ、隅フロント金具と前板とが組み付けられた抽斗を示す立体図である。
【図２８】引き出し運動開始時または押し込み運動終了時の抽斗の平面図である。
【図２９】抽斗が完全に押し込まれた位置にある、本発明による抽斗の平面図である。
【図３０】抽斗が家具本体から僅かに引き出された状態における家具本体と隅フロント金具との平面図である。
【図３１】図３０の箇所Ａを示す図である。
【図３２】コーナ抽斗が完全に押し込まれた状態における家具本体の平面図である。
【図３３】図３２の箇所Ａを示す図である。
【図３４】家具本体と、開運動開始時のコーナ抽斗の前板との平面図である。
【図３５】図３４の箇所Ａを示す図である。
【図３６】隅戸棚と、コーナ抽斗開運動中のコーナ抽斗の前板との平面図である。
【図３７】図３６の箇所Ａを示す図である。
【図３８】開運動続行時における図３６の箇所Ａを示す図である。
【図３９】本発明のさらに別の実施例における、片側の隅フロント金具の平面図である。
【図４０】この種の隅フロント金具の立体図である。
【図４１】隅フロント金具の分解立体図である。
【図４２】図４２に比して隅フロント金具を９０°回転させて示した、隅フロント金具の分解立体図である。
【図４３】隅フロント金具の端部の水平断面図である。
【図４４】保持部材が回旋された状態における隅フロント金具の端部の水平断面図である。
【図４５】隅フロント金具の端部の立体図である。
【図４６】隅フロント金具の端部のさらに別の立体図である。
【図４７】保持部材が回旋された状態における隅フロント金具の中心領域の立体図である。
【図４８】保持部材が回旋された状態における隅フロント金具の中心領域の水平断面図である。
【図４９】抽斗が押し込まれた状態における保持部材を示す、隅フロント金具の中心領域の立体図である。
【図５０】抽斗が押し込まれた状態における保持部材を示す、隅フロント金具の中心領域の水平断面図である。
【図５１】コーナ抽斗の前板領域とさらに別の実施例の隅フロント金具との平面図である。
【図５２】図５２の箇所Ａを示す図である。
【図５３】前板が開運動中にある、図５２の抽斗の前板領域の平面図である。
【図５４】図５４の箇所Ａを示す図である。
【図５５】抽斗が家具本体から引き出された状態にある、抽斗の前板領域の平面図である。
【図５６】図５６［訳注１４］の箇所Ａを示す図である。
【図５７】抽斗が家具本体内に完全に押し込まれた状態にある、抽斗の前板領域の平面図である。
【図５８】要素板組付け前の隅フロント金具の平面図である。
【図５９】要素板組付け中の隅フロント金具の平面図である。
【図６０】要素板が組み付けられた隅フロント金具の平面図である。
【図６１】要素板が組み付けられた隅フロント金具の立面図である。
【図６２】隅フロント金具と要素板との側面図である。
【図６３】要素板の位置調節を示す、要素板の組み付けられた隅フロント金具の平面図である。
【図６４】要素板の位置調節を示す、要素板の組み付けられた隅フロント金具の平面図である。
【図６５】要素板の位置調節を示す、要素板の組み付けられた隅フロント金具の平面図である。
【図６６】要素板の位置調節を示す、要素板の組み付けられた隅フロント金具の平面図である。
【図６７】要素板の位置調節を示す、要素板の組み付けられた隅フロント金具の平面図である。
【図６８】抽斗の高さ方向における要素板の調節可能性を示す、隅フロント金具と要素板との立面図である。
【図６９】抽斗の高さ方向における要素板の調節可能性を示す、隅フロント金具と要素板との立面図である。
【図７０】本発明による保持装置の立体図である。
【図７１】保持アームが組付け板の組付け前の状態にある、本発明による保持装置の縦方向断面図である。
【図７２】組付けアームが組付け板の組付け中にある、本発明による保持装置の縦方向断面図である
【図７３】保持アームが組付け板に組み付けられた状態にある、本発明による保持装置の縦方向断面図である。
【図１】
0004543398.tif 000002
【図２】
0004543398.tif 000003
【図３】
0004543398.tif 000004
【図４】
0004543398.tif 000005
【図５】
0004543398.tif 000006
【図６】
0004543398.tif 000007
【図７】
0004543398.tif 000008
【図８】
0004543398.tif 000009
【図９】
0004543398.tif 000010
【図１０】
0004543398.tif 000011
【図１１】
0004543398.tif 000012
【図１２】
0004543398.tif 000013
【図１３】
0004543398.tif 000014
【図１４】
0004543398.tif 000015
【図１５】
0004543398.tif 000016
【図１６】
0004543398.tif 000017
【図１７】
0004543398.tif 000018
【図１８】
0004543398.tif 000019
【図１９】
0004543398.tif 000020
【図２０】
0004543398.tif 000021
【図２１】
0004543398.tif 000022
【図２２】
0004543398.tif 000023
【図２３】
0004543398.tif 000024
【図２４】
0004543398.tif 000025
【図２５】
0004543398.tif 000026
【図２６】
0004543398.tif 000027
【図２７】
0004543398.tif 000028
【図２８−２８ａ】
0004543398.tif 000029
【図２９−２９ａ】
0004543398.tif 000030
【図３０】
0004543398.tif 000031
【図３１】
0004543398.tif 000032
【図３２】
0004543398.tif 000033
【図３３】
0004543398.tif 000034
【図３４】
0004543398.tif 000035
【図３５】
0004543398.tif 000036
【図３６】
0004543398.tif 000037
【図３７】
0004543398.tif 000038
【図３８】
0004543398.tif 000039
【図３９】
0004543398.tif 000040
【図４０】
0004543398.tif 000041
【図４１】
0004543398.tif 000042
【図４２】
0004543398.tif 000043
【図４３】
0004543398.tif 000044
【図４４】
0004543398.tif 000045
【図４５】
0004543398.tif 000046
【図４６】
0004543398.tif 000047
【図４７】
0004543398.tif 000048
【図４８】
0004543398.tif 000049
【図４９】
0004543398.tif 000050
【図５０】
0004543398.tif 000051
【図５１】
0004543398.tif 000052
【図５２】
0004543398.tif 000053
【図５３】
0004543398.tif 000054
【図５４】
0004543398.tif 000055
【図５５】
0004543398.tif 000056
【図５６】
0004543398.tif 000057
【図５７】
0004543398.tif 000058
【図５８】
0004543398.tif 000059
【図５９】
0004543398.tif 000060
【図６０】
0004543398.tif 000061
【図６１】
0004543398.tif 000062
【図６２】
0004543398.tif 000063
【図６３】
0004543398.tif 000064
【図６４】
0004543398.tif 000065
【図６５】
0004543398.tif 000066
【図６６】
0004543398.tif 000067
【図６７】
0004543398.tif 000068
【図６８】
0004543398.tif 000069
【図６９】
0004543398.tif 000070
【図７０】
0004543398.tif 000071
【図７１】
0004543398.tif 000072
【図７２】
0004543398.tif 000073
【図７３】
0004543398.tif 000074